(57)【要約】      （修正有）【課題】廃棄物を圧縮空間部に量的管理をせずに投入可能でありながら、適量に整えて効率よく圧縮可能である廃棄物のプレス装置を提供する。【解決手段】開閉可能な受け止め部７がある前方の出口部６と連通状の圧縮空間部２における入口側に可動体３を出口部側に向けて前進および後退可能に押圧シリンダ４と連繋させて配設すると共に、蓋体８を押蓋シリンダ９で圧縮空間部２上面の開口部２ａを開閉可能に可動体３上に沿い前進および後退可能に備え、可動体３上縁部の後側刃体１０ａとこれに対向状の開口部２ａ口縁の前側刃体１０ｂからなる下側切断手段１０および／または蓋体８上縁部の後側刃体１１ａとこれに対向状の開口部２ａ口縁の前側刃体１１ｂからなる上側切断手段１１を有し、下側切断手段１０および／または上側切断手段１１により圧縮空間部２上にはみ出る廃棄物分を切断可能にしてある。【選択図】図２
0003119737.tif 000002
【実用新案登録請求の範囲】
【請求項１】
開閉可能な受け止め部がある前方の出口部と連通状の圧縮空間部における入口側に可動体を出口部側に向けて前進および後退可能に押圧シリンダと連繋させて配設すると共に、蓋体を押蓋シリンダで圧縮空間部上面の開口部を開閉可能に可動体上に沿い前進および後退可能に備え、前記可動体上縁部の後側刃体とこれに対向状の開口部口縁の前側刃体からなる下側切断手段および／または蓋体上縁部の後側刃体とこれに対向状の開口部口縁の前側刃体からなる上側切断手段を有し、下側切断手段および／または上側切断手段により圧縮空間部上にはみ出る廃棄物分を切断可能にしてあることを特徴とする廃棄物のプレス装置。
【請求項２】
開口部上の廃棄物落下部内における後面部に、上端の軸支部を支点として垂直状から斜め傾斜状に揺動可能な調整ダンパーを備えてあることを特徴とする請求項１記載の廃棄物のプレス装置。
【請求項３】
開口部の前縁上に押込みシリンダを立設し、この押込みシリンダのシリンダロッドを圧縮空間部内まで上下動可能にしてあることを特徴とする請求項１または２記載の廃棄物のプレス装置。
【考案の詳細な説明】
【技術分野】
【０００１】
本考案は、スチール缶等の金属製のものから雑誌、新聞、ダンボール等の古紙さらにはウエスやプラスチック等の各種の廃棄物をブロック状に整えるのに有用な廃棄物のプレス装置に関する。
【背景技術】
【０００２】
特許文献１に掲載されている廃棄物プレス装置がある。この装置では、対向する一対の壁板間の上部が開口して投入口とされ、かつ先端部が開口して排出口とされた廃棄物の収容部と、該収容部の投入口を開閉し、投入口を閉塞した状態において排出口を閉じる仕切板が先端に連続して設けられた押蓋と、該押蓋を収容部の底板の方へ押圧する鉛直方向の圧縮手段と、前記収容部内で廃棄物を排出口側へ圧縮しながら移動させる押圧体を有する水平方向の圧縮手段とが備えられているものである。
そして、このような構成にすることで、収容部の排出口に仕切板などを備えたゲートがなくても廃棄物を圧縮し、ブロック化することができるようにしたものである。
ところで、廃棄物を圧縮して、大きさ及び重量ともにほぼ均一にブロック化する作業を効率的に行なうのには、圧縮される廃棄物を量的に管理することが重要であり、このような管理をすることで、大きさ及び重量ともにほぼ均一にブロック化可能な装置は出現していない。
【特許文献１】特開２００４−８２１３８
【考案の開示】
【考案が解決しようとする課題】
【０００３】
解決しようとする課題は、第１には、廃棄物を圧縮空間部に量的管理をせずに投入可能でありながら、適量に整えて効率よく圧縮可能である廃棄物のプレス装置を、第２には、さらに、廃棄物の種類に応じて効率よく圧縮可能である廃棄物のプレス装置を、第３には、さらに、圧縮効率が高い廃棄物のプレス装置を提供することにある。
【課題を解決するための手段】
【０００４】
本考案では前記した課題を達成するため、以下の構成にしたことを特徴とする。
１．開閉可能な受け止め部がある前方の出口部と連通状の圧縮空間部における入口側に可動体を出口部側に向けて前進および後退可能に押圧シリンダと連繋させて配設し、蓋体を押蓋シリンダで圧縮空間部上面の開口部を開閉可能に可動体上に沿い前進および後退可能に備え、前記可動体上縁部の後側刃体とこれに対向状の開口部口縁の前側刃体からなる下側切断手段および／または蓋体上縁部の後側刃体とこれに対向状の開口部口縁の前側刃体からなる上側切断手段を有し、下側切断手段および／または上側切断手段により圧縮空間部上にはみ出る廃棄物分を切断可能にしてあることを特徴とする。
２．前記した１において、開口部上の廃棄物落下部内における後面部に、上端の軸支部を支点として垂直状から斜め傾斜状に揺動可能な調整ダンパーを備えてあることを特徴とする。
３．前記した１または２において、開口部の前縁上に押込みシリンダを立設し、この押込みシリンダのシリンダロッドを圧縮空間部内まで上下動可能にしてあることを特徴とする。
本考案における上側切断手段と下側切断手段は、いずれか一方を有するものであってもよいし、双方ともに有するものでもよい。
【考案の効果】
【０００５】
Ａ．請求項１により、廃棄物を圧縮空間部に量的管理せずに投入可能でありながら、圧縮空間部からはみ出る廃棄物分を下側切断手段および／または上側切断手段で切断して除くので、適量に整えて効率よく圧縮でき、大きさ及び重量ともにほぼ均一にブロック化することができる。
Ｂ．請求項２により、さらに、調整ダンパーを垂直状に開くことで、圧縮空間部の開口部が全開されて、嵩張る廃棄物を効率よく圧縮する態勢を整えることができる。そして、調整ダンパーを斜め状に傾かせることで、圧縮空間部の開口部が狭められて、嵩張らない廃棄物を効率よく圧縮する態勢を整えることができる。それにより、嵩張るものとそうでないもののように廃棄物の種類に応じて効率よく圧縮できる。
Ｃ．請求項３により、さらに、圧縮と押込みにより圧縮効率が高い。
【考案を実施するための最良の形態】
【０００６】
図１〜には本考案の廃棄物のプレス装置における実施の１形態を例示しており、プレス装置１は、圧縮空間部２における後方の入口側に可動体３を前方の出口側に向けて前進および後退可能に押圧シリンダ４と連繋させて配設し、押圧シリンダ４の駆動力を受けて前後動する可動体３が、圧縮空間部２内に廃棄物を受け入れられるように待機位置まで後退可能にしてある一方で、前進することにより圧縮空間部２内の廃棄物を圧縮可能にしてある。
圧縮空間部２の前方には結束部５を経て出口部６を連通状に配設し、出口部６には受け止め部７を配設して同出口を開閉可能に形成してある。
受け止め部７は、縦軸７ａと左右の横軸７ｂを出口部６内に進退可能にそれぞれシリンダ７ｃと連繋してあり、縦軸７ａおよび横軸７ｂが出口部６内に進出した状態で廃棄物を受け止めて圧縮されるようにする一方で、出口部６内から退くことにより圧縮されてブロック化された廃棄物が出口部６を通過し得るようにしてある。
【０００７】
圧縮空間部２は、上面の開口部２ａを前後方向に進退する蓋体８で開閉可能に形成してある。この蓋体８は可動体３上に沿い前進および待機位置まで後退可能に押蓋シリンダ９と連繋している。
そして、開口部２ａ上には、可動体３上縁部の後側刃体１０ａと、これに対向状の開口部２ａ口縁の前側刃体１０ｂからなる下側切断手段１０を、また、蓋体８上縁部の後側刃体１１ａと、これに対向状の開口部２ａ口縁の前側刃体１１ｂからなる上側切断手段１１を、それぞれ配設してあり、この下側切断手段１０および上側切断手段１１により圧縮空間部２上にはみ出る廃棄物分をそれぞれ切断可能に形成してある。
【０００８】
開口部２ａ上の廃棄物落下部１２内における後面部１２ａには、上端の軸支部１３ａを支点として垂直状から斜め傾斜状に揺動可能な調整ダンパー１３を備えてある。
この調整ダンパー１３は、シリンダ１３ｂと連繋していて、当該シリンダ１３ｂの駆動力を受けて垂直状に開くことで、圧縮空間部２の開口部２ａを全開可能であり、適宜傾斜角度の斜め状に傾くことで開口部２ａを前方側に適宜狭められように形成してある。調整ダンパー１３の傾斜角度は、廃棄物が段ボール，軟質プラスチック，これらに準じるものである場合には垂直線に対して０度角ａに、廃棄物がアルミ製のトレー，これらに準じるものである場合には垂直線に対して約１０度の傾斜角ｂに、廃棄物が新聞，硬質プラスチック，ウエス，これらに準じるものである場合には垂直線に対して約２０度の傾斜角ｃに、廃棄物が雑誌，スチール缶，これらに準じるものである場合には垂直線に対して約３０度の傾斜角ｄに、それぞれ調整可能にしてある。
【０００９】
開口部２ａの前縁上には押込みシリンダ１４を左右に立設し、この左右の押込みシリンダ１４のシリンダロッド１４ａを圧縮空間部２内までそれぞれ上下動可能にすることで、切断されなかった廃棄物を圧縮空間部２内に押込み可能形成してある。また、押込みシリンダ１４におけるシリンダロッド１４ａの上停止位置は、可動体３による圧縮作業および蓋体８による開口部２ａの開閉作業ならびに上下の切断手段１０、１１による切断作業を妨げない待機位置になる。
結束部５は、圧縮されて出口側に押し動かされる廃棄物が或る長さになると鉄線１５で結束してブロック状に整える。
【００１０】
次に廃棄物をブロック化する課程を順に説明する。
廃棄物が段ボールである場合、先ず調整ダンパー１３を０度角ａにセットし、圧縮空間部２の開口部２ａを全開すると共に、可動体３および蓋体８そして左右の押込みシリンダ１４のシリンダロッド１４ａをそれぞれ待機位置に後退させ、受け止め部７の縦軸７ａと左右の横軸７ｂを出口部６内に進出させて廃棄物の圧縮準備をする。
然る後に、コンベア（図示セズ）から段ボールを廃棄物落下部１２内に投入開始する。段ボールは開口部２ａを通過して圧縮空間部２内に積み込まれて開口部２ａ上のセンサー１６高さ位置まで達した時点で、可動体３および蓋体８が待機位置から前進し、蓋体８により開口部２ａを閉じつつ圧縮空間部２内の段ボールを可動体３で圧縮する。この圧縮途中には、開口部２ａから上にはみ出た段ボールを上下の切断手段１０、１１により切断し、開口部２ａを蓋体８で閉じる。
【００１１】
斯様に、開口部２ａが蓋体８により閉じられた状態で、廃棄物の圧縮が行なわれて終了するのにともない、可動体３および蓋体８は待機位置に後退し、次の圧縮準備をする。
かかる過程で、段ボールのはみ出し分が切断されない場合には、可動体３および蓋体８がいったん押込みシリンダ１４よりも後側に後退し、その後に、シリンダロッド１４ａが圧縮空間部２内まで下動して、切断されなかった廃棄物を圧縮空間部２内に押込み、シリンダロッド１４ａの上動後に、再び可動体３および蓋体８が前進して廃棄物を切断し圧縮する。
こうして圧縮されて出口側に押し動かされた廃棄物が或る長さになり次第、結束部５により廃棄物を鉄線１５で結束してブロック状に整える。
【００１２】
また、廃棄物がアルミ製のトレー，これらに準じるものである場合には調整ダンパー１３を傾斜角ｂに設定すると共にこの調整ダンパー１３下まで可動体３および蓋体８を前進させ、廃棄物が新聞，硬質プラスチック，ウエス，これらに準じるものである場合には調整ダンパー１３を傾斜角ｃに設定すると共にこの調整ダンパー１３下まで可動体３および蓋体８を前進させ、廃棄物が雑誌，スチール缶，これらに準じるものである場合には調整ダンパー１３を傾斜角ｄに設定すると共にこの調整ダンパー１３下まで可動体３および蓋体８を前進させることで、それぞれ調整して圧縮準備をし、以下、前記した過程を経て、廃棄物をブロック化する。
【図面の簡単な説明】
【００１３】
【図１】本考案の廃棄物のプレス装置における実施の１形態を示す縦断面図。
【図２】要部の拡大縦断面図。
【図３】圧縮空間部の拡大縦断面図。
【図４】出口部の拡大縦断面図。
【符号の説明】
【００１４】
１  プレス装置
２  圧縮空間部
２ａ  開口部
３  可動体
４  押圧シリンダ
５  結束部
６  出口部
７  受け止め部
７ａ  縦軸
７ｂ  横軸
７ｃ，１３ｂ  シリンダ
８  蓋体
９  押蓋シリンダ
１０  下側切断手段
１０ａ，１１ａ  後側刃体
１０ｂ，１１ｂ  前側刃体
１１  上側切断手段
１２  廃棄物落下部
１２ａ  後面部
１３  調整ダンパー
１３ａ  軸支部
ａ  ０度角
ｂ，ｃ，ｄ  傾斜角
１４  押込みシリンダ
１４ａ  シリンダロッド
１５  鉄線
１６  センサー
【図１】
0003119737.tif 000003
【図２】
0003119737.tif 000004
【図３】
0003119737.tif 000005
【図４】
0003119737.tif 000006